(57)【要約】【課題】広告資料の作成依頼者からの要求に応じて広告資料を作成提供する広告資料提供システムであって、広告資料の配布目的・配布先を考慮してより高い広告効果の得られる広告資料を提供する広告資料提供システムの実現すること。【解決手段】作成依頼者からの広告資料作成条件を入力作成条件入力部と、入力された前記広告資料作成条件を保管する作成条件保管部と、広告資料のレイアウトのデータを保管するレイアウト保管部と、前記広告資料にレイアウトされる広告データを保管する広告データ保管部と前記作成条件保管部に保管された前記広告資料作成条件を元に前記レイアウト保管部よりレイアウトデータを選定、かつ前記広告データ保管部より広告データを選択するとともに、前記広告資料作成条件に合わせて広告資料をレイアウトするレイアウト作成部とを設けるようにした。【選択図】　図１
2004062712.tif 000002
【特許請求の範囲】
【請求項１】
作成依頼者からの広告資料作成条件を入力作成条件入力部と、入力された前記広告資料作成条件を保管する作成条件保管部と、広告資料のレイアウトのデータを保管するレイアウト保管部と、前記広告資料にレイアウトされる広告データを保管する広告データ保管部と前記作成条件保管部に保管された前記広告資料作成条件を元に前記レイアウト保管部よりレイアウトデータを選定、かつ前記広告データ保管部より広告データを選択するとともに、前記広告資料作成条件に合わせて広告資料をレイアウトするレイアウト作成部とを設けたことを特徴とする広告資料提供システム。
【請求項２】
前記広告資料の配布先データを保管する配布先保管部と、前記配布先保管部に保管された配布先データを分析する配布先データ分析部とを設けるとともに、前記レイアウト作成部は、前記配布先データ分析部の分析結果を元に前記レイアウトデータの選定、および／または広告データの選定を行うことを特徴とする請求項１記載の広告資料提供システム。
【請求項３】
前記配布先データが作成依頼者の顧客データを含むことを特徴とする請求項２記載の広告資料提供システム。
【請求項４】
前記配布先データが配布先の環境データを含むことを特徴とする請求項２，３記載の広告資料提供システム。
【請求項５】
前記作成条件の内容を分析する作成条件分析部を設けるとともに、前記作成条件分析部の分析結果を元に前記広告資料の配布先を選定する配布先選定部を設けたことを特徴とする請求項１記載の広告資料提供システム。
【請求項６】
前記作成条件保管部に保管された複数の作成依頼者の広告資料作成条件と、前記配布先保管部に保管された複数の作成依頼者からの配布先データとを元に類似した作成条件を抽出する類似作成条件抽出部を設けるとともに、前記レイアウト作成部は、前記類似作成条件抽出部にて抽出された類似の作成条件を元に、前記レイアウトデータの選定、および／または広告データの選定を行うことを特徴とする請求項２から５記載の広告資料提供システム。
【発明の詳細な説明】
【０００１】
【発明の属する技術分野】
本発明は、依頼者からの要求に応じてチラシ等の広告資料を作成・提供する広告資料提供システムに関し、特に効果的な資料内容と配布が可能な、広告資料提供システムシステムに関する。
【０００２】
【従来の技術】
従来より、チラシやパンフレットなどの広告資料については、その依頼者が印刷会社の製作担当と打ち合わせを行い、依頼者からの内容を具体化した内容やデザインで置換して作成していた。このため、実際の作成まで時間を要し、また打ち合わせの時間が必要であった。
さらには、印刷会社に複数の依頼者から類似の広告資料の依頼があった場合、依頼者側にも、また印刷会社側にとっても、本来内容を調整すれば作成費用や時間の短縮が図れた可能性があったにも拘わらず、調整の手間の面から中々共通化や流用を行いにくい状況にあった。
【０００３】
このため、これらの課題を解決するために、例えば特開２００１−３３８０４６や特開２００２−０７４１６９に示されるように、サーバー上に広告資料の雛型を電子化して準備しておいて、依頼者がネットワークを介してアクセスし、サーバー上の雛型に希望する内容を反映させることで、作成の効率化や打ち合わせの手間をなくそうとするものがあった。
また、例えば特開２００２−０４２１４４に示されるものでは、作成条件が類似した広告資料について依頼をまとめて、共同チラシとして作成の効率化を図るものもあった。
【０００４】
【発明が解決しようとする課題】
しかしながら、先の技術については広告資料作成そのものの効率化のためにネットワーク技術を用いるものであって、広告資料の目的である広告効果を、より高める内容とすることをねらったものではなかった。さらに、依頼者が、作成された広告資料の配布目的や配布先を考慮して、内容を充実させるものでもなかった。
【０００５】
また、作成条件が類似した広告資料について共通化を図るものについても、広告資料の作成条件に応じて共通化を図るものであるため、広告資料の作成目的を考慮した上で、複数の依頼者間の連携と費用対効果を考慮したものではなかった。
【０００６】
また、作成された広告資料は、より高い広告効果を生むような配布を行うことが大切であるが、より効果を生む最適な配布先までを含めて依頼者に提供するものは、なかった。
【０００７】
本発明は、上記課題を解決するためになされたもので、本発明は広告資料の作成依頼者からの要求に応じて広告資料を作成提供する広告資料提供システムであって、広告資料の配布目的・配布先を考慮してより高い広告効果の得られる広告資料を提供する広告資料提供システムの実現を目的とする。
【０００８】
【課題を解決するための手段】
上記課題を解決するため、本発明の請求項１では、広告資料提供システムにおいて、作成依頼者からの広告資料作成条件を入力作成条件入力部と、入力された前記広告資料作成条件を保管する作成条件保管部と、広告資料のレイアウトのデータを保管するレイアウト保管部と、前記広告資料にレイアウトされる広告データを保管する広告データ保管部と前記作成条件保管部に保管された前記広告資料作成条件を元に前記レイアウト保管部よりレイアウトデータを選定、かつ前記広告データ保管部より広告データを選択するとともに、前記広告資料作成条件に合わせて広告資料をレイアウトするレイアウト作成部とを設けるようにした。これにより、広告資料の作成依頼を行う作成依頼者からの要求に応じて、レイアウト保管部に保管されたレイアウトと、広告データ保管部に保管された広告データを組み合わせることにより、効率的に広告資料を作成し、作成依頼者に提供することが可能となる。
【０００９】
なお、レイアウトされる広告データについては、広告データ保管部に保管されたものだけでなく、作成依頼者の指定のものを合わせて用いることができ、より要求に叶ったものを提供できる。
また、選択されるレイアウトのデータについては、広告資料提供システムを提供する側で準備した雛型を用いてもよいし、さらに作成依頼者別にカスタマイズした雛型を複数準備しておいて、その中から選択してもよい。この場合、より作成依頼者の要求に叶い、また作成依頼者の独自性を表現した広告資料とすることができ、好適である。雛形については、一旦作成した広告資料のものを転用して作成することも、できる。
【００１０】
また、入力作成条件入力部に入力される作成依頼者からの作成条件と作成依頼は、Ｆａｘや書面、電話といったものを用いることができるが、インターネット等の通信回線を経由して、作成依頼者の端末から電子データの状態で送信されれば、入力負荷の低減や処理効率の向上の面で、好適である。
また、通信回線を用いた場合、広告資料の完成前の原稿に関し、作成依頼者の端末に表示させることで、リアルタイムで原稿の内容を確認することもできる。また、さらに作成依頼だけでなく、作成後の決済等も併せて通信回線経由で行うことで、より処理の効率化・簡便化を図ることもできる。
【００１１】
また、請求項２においては、前記広告資料の配布先データを保管する配布先保管部と、前記配布先保管部に保管された配布先データを分析する配布先データ分析部とを設けるとともに、前記レイアウト作成部が、前記配布先データ分析部の分析結果を元に前記レイアウトデータの選定、および／または広告データの選定を行うようにした。これにより、作成依頼者が配布を予定している配布先を分析することで、配布先にあったレイアウトや広告データを選定できるため、より広告効果の高い広告資料を提供することが、可能となる。
【００１２】
なお、レイアウトされた広告資料については、広告資料提供システム側で選定した広告データやレイアウトであるため、一旦依頼者の確認を行うことができるようにすることができる。この際、先に述べたようにインターネット等の通信回線を経由して行うと、リアルタイムでの確認を行うことができ、好適である。
【００１３】
また、レイアウトされた広告資料については、そのまま作成依頼者に納品してもよいが、配布先保管部に保管された配布先に従って、広告資料提供システム側で配布を手配することで、作成依頼者の手間を省くことができる。なお、配布手配については、例えば広告資料が新聞の折り込みチラシのような形態であった場合、新聞の折り込みチラシ取り扱い業者に手配する。この際、新聞の折り込みチラシ取り扱い業者の有するサーバに対して、配布要求を行うことで、処理の効率化を図ることができる。また、ダイレクトメールによる配布の場合には、配布先データを元にダイレクトメールの発送を広告資料提供システム側で行ってもよいし、新聞の折り込みチラシの例と同じように手配してもよい。いずれの場合も、作成依頼者の手間を省くことができる。
【００１４】
さらに、広告資料が電子化された状態の場合には、その電子状態のままで配布先データを元に配布先宛の電子メールなどで配信してもよい。この場合、より即時性の高い広告資料とすることができる。また、紙媒体での提供と併用して、広告効果を高めるようにしてもよい。
【００１５】
また、請求項２においては、配布先データが作成依頼者の顧客データを含むようにした。これにより、配布先データにつき、顧客個人のデータを対象としての分析が可能であるため、より最適な広告データやレイアウトを選定でき、広告効果の高い広告資料を提供できる。
例えば、配布先データ内の顧客の年齢や性別を分析して、年齢構成に適した広告データを選定できる。年齢構成が若い層が多ければ、若い年齢層向けの広告データを中心に選定し、また年齢構成が高齢な層が多ければ、高齢層向けの広告データを選定して、広告効果の高い広告資料とすることができる。
さらに、持ち家の有無や、住居が戸建か集合住宅かや、所有物などを元に選定できる。例えば、住居が戸建であれば庭があると想定して、庭に設置するものなどのアイテムについての広告データを選定できる。
【００１６】
なお、顧客データを分析して用いる際には、そのまま分析した結果を元にレイアウトや広告データを選定して広告資料をレイアウトしてもよいが、さらに作成依頼者からの指定を加味するようにしてもよい。例えば、分析では年齢層が若い層が多いと分析された場合であっても、別の年齢構成に重きを置いた内容の広告資料とするようにに設定できる。
【００１７】
また、請求項４においては、配布先データが配布先の環境データを含むようにした。これにより、配布先の環境データを考慮することで、より最適な広告データやレイアウトを選定でき、広告効果の高い広告資料を提供できる。
例えば、配布先の環境データが住環境であれば、この住環境を考慮することで、より適切な広告資料とすることができる。仮に、住環境に関して新興住宅地周辺への配布予定と分析できれば新製品主体の商品情報に関する広告データを選択し、また旧市街地区のような場所と分析できれば、リフォーム向けの商品情報を選択することで、広告効果の高い広告資料とすることができる。また、主要幹線道路沿いの配布先が多いと判断できれば、騒音が多いものと推定して、これに関する情報や対策商品に関する広告データを選択して、広告資料とすればよい。また、天候に関し、梅雨時の配布と判断できれば、多湿に関する情報や対策商品（例えば除湿機）に関する広告データを選択して、広告資料とすればよい。
【００１８】
また、請求項５においては、広告資料提供システムにおいて、前記作成条件の内容を分析する作成条件分析部を設けるとともに、前記作成条件分析部の分析結果を元に前記広告資料の配布先を選定する配布先選定部を設けるようにした。これにより、提供される広告資料の内容を考慮して、より広告効果の高い配布先を選定した提供を行うことが可能となる。
広告資料内の広告データに関し、特定の住居の条件に向けたものであると判断できれば、これに対応した配布先に配布した方が、広告資料の広告効果をより高めることができる。例えば、浴室乾燥機のような製品に関する広告データを含む場合、洗濯物を乾かす場所について問題を抱える顧客に対し広告資料を配布するのが効果的と判断され、集合住宅やその地域への配布が効果的と判断できる。また、リフォーム関連の広告データが中心であれば、新興住宅地よりもリフォームを要する古い建物が多い旧市街地への配布が効果的と判断できる。
【００１９】
なお、選定された配布先については、広告資料の提供に併せて作成依頼者に提供してもよいし、広告資料提供システム側での配布手配に利用してもよい。前者の場合、作成依頼者が、任意の配布形態に併せての配布が可能となるし、またさらに細かい配布先の調整を行うことができる。後者の場合には、作成依頼者の配布の手間を省くことができる。
【００２０】
また、元となる配布先データについては、作成依頼者のデータを用いてもよいし、広告資料提供システム側所有のものを用いてもよい。前者の場合には、作成者の意図に叶ったより適切な配布先を選択できる。また、後者の場合には、作成依頼者側で例えば顧客データを完備していなくても、広告効果の高い配布先に対して、広告資料を配布することが可能となる。
【００２１】
また、請求項６においては、広告資料提供システムにおいて、前記作成条件保管部に保管された複数の作成依頼者の広告資料作成条件と、前記配布先保管部に保管された複数の作成依頼者からの配布先データとを元に類似した作成条件を抽出する類似作成条件抽出部を設けるとともに、前記レイアウト作成部が、前記類似作成条件抽出部にて抽出された類似の作成条件を元に、前記レイアウトデータの選定、および／または、広告データの選定を行うようにした。これにより、複数の依頼者からの作成条件を抽出して、類似の条件を元に広告資料を検討できるため、広告資料の共通化や一部共通化が図れるため、広告資料提供システム側での作成負荷や納期短縮が図れるとともに、複数の依頼者側についても、より低コストでの作成依頼が、可能となる。
【００２２】
なお、広告資料作成の効率化のみでなく、広告に関して複数の作成依頼者間の調整を行い、共同キャンペーンを図るようにしてもよい。
【００２３】
また、請求項３や４にあるように、配布先データについて、複数の作成依頼者の持つデータを利用することで、より精度の高い分析を行うことができ、さらに効果的に広告資料とすることができる。さらに、顧客データに関しては、複数の依頼者間でのデータの重複に対応することで、複数の広告資料が来てしまうといった無駄を省くことができる。逆に、単一の配布方法にて、複数の作成依頼者の広告資料を配布することで、広告資料の受け手と配布元の無駄を省くこともできる。
【００２４】
【発明の実施の形態】
本発明の内容の理解のため、以下に実施例を用いて詳説する。
【００２５】
【実施例】
実施例における全体のシステム構成を図１に示す。本実施例については、通信回線を用いて、各種情報の伝達を行う場合のシステム構成である。１は、通信回線でありこの場合、インターネットを利用している。２は作成依頼者からの作成依頼を受け付けたり、広告資料の作成を指示する広告資料提供システムサーバー、７は作成依頼者端末を示す。
【００２６】
広告資料の作成依頼からステップを、基本フロー図を併用して説明する。
作成依頼者は、作成依頼者端末７を用い、インターネット１を経由して、広告資料提供システムサーバー２に作成依頼を行う。受け付けられた作成者からの作成条件は、Ｓｔｅｐ１０１の作成条件入力作業を経て、一旦図２の作成条件ＤＢ（データベース）に保管される。
なお、作成条件とは、作成者から広告資料提供システム側への要求内容であり、広告データ・広告データを配置するレイアウトの指定・その他掲載する事項といった広告資料の内容に関わるものだけに限定されず、住所や連絡先といった作成依頼者に関わる情報や、広告資料の配布先・配布部数・納期・予算・支払い条件などの周辺の情報も含むことができる。
【００２７】
また、作成依頼者から広告資料提供システム側への作成依頼については、上記インターネット経由だけでなく、電話やＦａｘによる作成依頼を行うこともできる。さらに、図１のＦａｘ８から電話回線９を通じて、広告資料提供システムサーバー２に接続したＦａｘモデムを経由して受信し、受信された内容をＯＣＲ処理して、自動的に広告資料提供システムに取り込み、Ｓｔｅｐ１０１の作成条件入力を行うようにしてもよい。
【００２８】
作成条件ＤＢに保管された作成条件を元に、広告資料の作成を開始する。
まず、Ｓｔｅｐ１０２にある通り、作成条件に従ってレイアウトデータサーバー３内のレイアウトＤＢに保管されたレイアウトの中から、該当するレイアウトを選択する。
次に、Ｓｔｅｐ１０３にある通り、作成条件に従って広告データサーバー４内の広告データＤＢに保管された広告データの中から該当する広告データを選択する。次に、Ｓｔｅｐ１０４では、Ｓｔｅｐ１０２，１０３で選択されたレイアウトと広告データを元に、広告資料をレイアウトする。この際、広告データＤＢに保管された広告データに関しても、作成依頼者からの指定があれば、ここで追加してレイアウトすることができる。
そして、Ｓｔｅｐ１０５では、レイアウトされた広告資料を表示する。表示されたレイアウトについては、再び作成依頼者端末７にフィードバックして、作成依頼者に内容を確認してもらった後、正式に出力して提供する。インターネット等の回線利用により、リアルタイムでの確認や承認が、可能となる。作成後の支払いなどの決済を合わせて行うようにしてもよい。
【００２９】
また、レイアウトされた広告資料については、一旦印刷されたもので、作成依頼者に確認してもよい。実際に配布される広告資料に近い形で、色合いなどの確認を行うことができるといった利点を持つ。
【００３０】
さらに、作成依頼者からの作成条件によっては、広告資料レイアウト後、そのまま印刷し納品、あるいは配布先への配布を行うようにしてもよい。
また、印刷や配布については、広告資料提供システムを提供する業者とは別の業者に対し、図１中の印刷所端末１１に示されるような端末に自動的に指示を行うようにしてもよい。
また、印刷した後の配布のみでなく、例えば作成依頼者の所有するホームページに自動掲載するように構成してもよい。例えば、広告資料が新聞の折り込みチラシなどのようなものの場合、チラシを見る顧客側にとっては一過性の情報となってしまうが、各作成依頼者のホームページに掲載されることで、後々もチラシに掲載された情報を再確認でき、利便性が高い。なお、チラシを特定のホームページに集中して掲載し提供する方法もあるが、顧客が身近な店舗など（作成依頼者）の情報を知りたい場合には、各作成依頼者のホームページへの掲載した方が、より効果的ということもある。
【００３１】
なお、この各作成依頼者のホームページについては広告資料と同じく、顧客に対する効果的なプロモーションのための方法となるが、広告資料と同様に作成依頼者に対して作成・提供を行う対象ともなりうる。このような場合、広告資料提供システムとホームページの作成・提供のシステムとを連携させることで、より効率的に処理を行うことができる。例えば、各作成依頼者に対して個別のホームページが提供されていても、同じサーバー上にホームページが置かれていた場合には、チラシ等の広告資料の掲載が同じサーバー上で行うことができ、効率的である。
また、両システムの作成依頼者のデータを共用することによる効率化を図ることもできる。さらに、ホームページの作成・提供のシステム側でも、顧客データを使用していた場合には、顧客データについて、共用してよい。
【００３２】
以上述べてきたような実施形態によって、最終的に図６に示されるような広告資料を、提供することができる。なお、図６については広告資料が、チラシであった場合を例示している。図６においては、チラシの紙面上部にタイトルを、中ほどに商品を６点、下部に作成依頼者の店舗に関する情報（連絡先や地図）を表示するようなレイアウトとなっている。図中の商品を表示した部位にあるように、個別の金額などを作成条件として指定できる。表示に当たって、文字の種類や大きさ、スタイルについても指定することができる。
【００３３】
なお、図６に示されるようなレイアウトに関し、作成依頼者からの依頼が定型的であれば、これをその作成依頼者専用のレイアウトとして、レイアウトＤＢに登録しておくと、作成依頼者側にとっては作成条件の指示が少なく、広告資料提供システム側にとっては、処理工程を軽減し、効率化を図ることができる。また、目玉商品の強調といった特定の作成依頼者の要望についても、汎用のレイアウトを複数準備しておく必要がなく、ＤＢの資源の面からも、効率的である。
【００３４】
次に、作成者からの配布先データを参照して、より効果的な広告資料とする場合の実施例について説明する。
【００３５】
本実施例においては、作成依頼者から上述の実施例と同じように、作成依頼者端末７を用い、インターネット１を経由して、広告資料提供システムサーバー２に作成依頼を行う。受け付けられた作成者からの作成条件は、図３のＳｔｅｐ２０１の作成条件入力作業を経て、一旦図３の作成条件ＤＢに保管される。
【００３６】
作成条件ＤＢに保管された作成条件を元に、広告資料の作成を開始する。
まず、Ｓｔｅｐ２０２にある通り、作成条件において配布先データのデータ利用を行うかどうかを判断する。これは、配布先データが元々存在しない場合や、登録されていても、その作成依頼において作成依頼者からの配布先データ利用が許可されない場合もあるからである。
なお、配布先データについては広告資料提供システム側に保管してもよいが、作成依頼者側の端末などに保管されたものを参照するようにしてもよい。この場合、常に更新された配布先データが利用可能となる。
【００３７】
次に、Ｓｔｅｐ２０２で配布先データの利用を行うと判断した場合、Ｓｔｅｐ２０３では配布先データの分析を行う。分析については、配布先データの種類に応じて、種々の分析を行うことができる。
例えば、配布先データとして顧客データを含む場合には、登録されている顧客の特性に応じた分析を行うことができる。例えば、年齢に関する情報があれば、今回配布における年齢構成を分析し、年齢構成の中心となる層に対して効果のある広告データを選定する判断材料となる。また、性別に関する情報であれば、性別に応じた広告データを選定する判断材料を得られる。分析結果が、女性中心の配布先であれば、女性をターゲットとした広告データを提供することが効果的であり、また女性のみであった場合には、女性限定の広告データに絞り込む判断材料とすることができ、結果的に提供される広告資料の広告効果を高めることができる。
【００３８】
また、配布先データに配布先の環境データを含むような場合には、配布先の環境を考慮した広告データを選定する判断材料とできる。例えば、配布先周辺の道路事情に関し、主要幹線に近いとの情報があれば、騒音の問題があるのではと分析され、騒音に対応した情報や製品についての広告データを選定すべきと分析することができる。
なお、分析に際しては、配布先ＤＢに登録されている環境データのみでなく、判断する上で参考となる情報を蓄積したＤＢを併用するようにしてもよい。
【００３９】
次にＳｔｅｐ２０３で分析された分析結果を元に、Ｓｔｅｐ２０４，２０５でレイアウトと広告データを選定する。
また、Ｓｔｅｐ２０３での分析結果の反映方法については、分析結果のみを用いてレイアウトと広告データを選定するようにしてもよいし、作成依頼者からの作成条件に付加する形で選定するようにしてもよい。Ｓｔｅｐ２０６の広告資料レイアウトとＳｔｅｐ２０７の広告資料表示を経た後、レイアウトされた広告資料を作成依頼者に確認してもらうようにすることで、配布先データの分析結果を考慮して広告資料提供システム側で提示した広告資料が、作成依頼者の意図に叶ったものかどうか、判断することができる。
【００４０】
以上述べてきたような実施形態によって、配布先データを考慮して、より高い広告効果を持つ広告資料を提供することが、可能となる。
【００４１】
次に、作成依頼者からの作成条件を元に、より効果的な広告効果を持つ配布先選定を合わせて提供する場合の実施例について、説明する。
【００４２】
本実施例においては、作成依頼者から上述の実施例と同じように、作成依頼者端末７を用い、インターネット１を経由して、広告資料提供システムサーバー２に作成依頼を行う。受け付けられた作成者からの作成条件は、図４のＳｔｅｐ３０１の作成条件入力作業を経て、一旦図４の作成条件ＤＢに保管される。
広告資料の作成そのものについては、図２のフローに示されるようなステップにて行われる。この場合の作成条件は、図４の作成条件ＤＢのものが使用される。
【００４３】
次に、図４の作成条件ＤＢに保管された作成条件を元に、広告資料の配布先について検討する。なお、Ｓｔｅｐ３０２にある通り、配布先の提示が不要なものは、配布先の分析が不要なものとして、作成依頼者指定の配布先が、そのまま使用される。
Ｓｔｅｐ３０３において、図４の作成条件ＤＢに登録された作成条件を参照して、作成される広告資料において、より広告効果の高い配布先を分析する。例えば、作成条件の中で、広告データとして浴室乾燥機の情報が入っていた場合、洗濯物の乾燥を戸外で行いにくい配布先がターゲットと想定できる。この場合、例えばこの条件に合うと推測される集合住宅に住む顧客や、集合住宅の多い地域への配布が効果的との判断材料を得ることができる。
【００４４】
次にＳｔｅｐ３０３で分析された分析結果を元に、Ｓｔｅｐ３０４で具体的な配布先を選出する。選出に当たっては、登録されている作成依頼者の顧客データから具体的は配布先を選出してもよいし、Ｓｔｅｐ３０３での分析結果のままでに、例えば集合住宅の多い地区といったレベルの情報としてもよい。
【００４５】
最終的に、Ｓｔｅｐ３０４で選出された配布先データと、別途レイアウトした広告資料とを併せて、作成依頼者に提示する。提示された内容を作成依頼者が確認し、この後、広告資料の納品・配布を行う。
なお、作成依頼者の判断によっては、提案した配布先を修正する。修正された配布先については、修正理由も併せて保管しておくことで、その作成依頼者からの作成に対し、より適切な配布先提案を行う際のデータとできる。
【００４６】
次に、複数の依頼者からの作成条件を抽出して、類似の条件を元に広告資料を検討する場合の実施例について、説明する。
【００４７】
複数の作成依頼者からの作成条件については、Ｓｔｅｐ４０１の作成条件入力により、図５の作成条件ＤＢに一旦保管される。Ｓｔｅｐ４０２では、この一旦保管された作成条件を元に、類似の作成条件の抽出を行う。抽出された作成条件については、類似の作成条件としてＳｔｅｐ４０２による作成条件ＤＢに保管される。なお、配布先についても併せて類似条件の抽出を行う場合、同様に類似の配布先のついての配布先ＤＢに保管される。
なお、類似作成条件がなかった場合、Ｓｔｅｐ４０３の判断に従い、通常の個別の作成依頼者からの広告資料作成として、以降の処理は進められる。
【００４８】
次に、類似の作成条件として抽出されたＳｔｅｐ４０２の作成条件ＤＢを元にＳｔｅｐ４０４で分析を行い、この分析結果に従ってＳｔｅｐ４０５，４０６のレイアウト選定と広告データの選定を行う。そして、選定されたレイアウトと広告データを元にして、Ｓｔｅｐ４０７で広告資料のレイアウトが行われる。
【００４９】
レイアウトされた広告資料については、Ｓｔｅｐ４０８で表示されるが、複数の作成依頼者の中から、類似作成条件があった作成依頼者に対し、内容を確認するよう供される。確認については、インターネットなど回線経由で行うことができる。また、紙出力されたもので、行ってもよい。
確認を行った作成依頼者が、提示したレイアウトの広告資料でよいとした場合、そのまま、納品や配布に移ることになる。また、確認を行った作成依頼者が、部分的に提示したレイアウトの広告資料のままでは、よくないと判断された場合、類似条件を限定し分析することで、再度広告資料のレイアウトを行い提示してもよい。また、レイアウトや広告データを部分的に修正し、作成依頼者に提示してもよい。同一の広告資料の場合、作成の負荷・納期・費用の面で効率化が図れるが、上記実施例に従い、類似条件から作成され、部分的に異なる広告資料となっても、類似あるいは共通部分の効果により、同一の広告資料には及ばないものの、同様に作成の負荷・納期・費用の面で効率化が図ることができる。
【００５０】
以上述べてきた実施例については、例示したシステム構成に限定されることなく、また、各実施例について組み合わせて用いることができる。本発明の主旨を逸脱しない範囲において、変更することができる。
【００５１】
例えば、配布した広告資料の広告効果のフィードバックを行い、レイアウトや広告データに反映するようにしてもよい。広告資料が、特典付きのチラシであった場合、これを顧客が作成依頼者に持ち込み、その反応を広告資料提供システム側にフィードバックすることで、広告効果の高かったレイアウト等を分析して、効果の高いレイアウトとしてフィードバックすることができる。
【００５２】
【発明の効果】
以上述べてきた通り、本発明によれば、広告資料の作成依頼者からの要求に応じて広告資料を作成提供する広告資料提供システムにおいて、広告資料の配布目的・配布先を考慮してより高い広告効果の得られる広告資料を提供することができる。
【図面の簡単な説明】
【図１】本発明の一実施例における広告資料提供システムの構成を示す図
【図２】本発明の一実施例における広告資料作成のフローを示す図
【図３】本発明の一実施例における配布先データの分析を行う場合のフローを示す図
【図４】本発明の一実施例における作成条件の分析を行う場合のフローを示す図
【図５】本発明の一実施例における類似作成条件を行う場合のフローを示す図
【図６】本発明の一実施例における広告資料の一例
【符号の説明】
１…インターネット
２…広告資料提供システムサーバー
３…レイアウトデータサーバー
４…広告データサーバー
５…顧客データサーバー
６…印刷機
７…作成依頼者端末
８…Ｆａｘ
９…電話回線
１０…Ｆａｘモデム
１１…印刷所サーバー
２０…広告資料レイアウトの例
２１…広告データの例
【図１】
2004062712.tif 000003
【図２】
2004062712.tif 000004
【図３】
2004062712.tif 000005
【図４】
2004062712.tif 000006
【図５】
2004062712.tif 000007
【図６】
2004062712.tif 000008